(57)【要約】      （修正有）【課題】球あしが鋭く、高い打球音が得られ、打球方向、飛距離を伸ばし、安定化を図ることのできるマレットゴルフ用スティックを提供する。【解決手段】上部に握り１を設けたチタン製シャフト２の下端にシャフト止め金具３を挿入し、シャフト止め金具に直交するように接続金具４を固定し、金属・非金属又はプラスチック、特にポリカーボネイトを加工又は成形した左右一対のヘッド５を接続金具の左右からネジで固着する。【選択図】図１
0003189940.tif 000002
【実用新案登録請求の範囲】
【請求項１】
上部に握り１を設けたチタン製シャフト２を設け、前記チタン製のシャフト２の下端にシャフト２を挿入するシャフト止め金具３を設ける、前記シャフト止め金具３に直交するように接続金具４を固定し、その接続金具４に金属、非金属又はプラスチック、特にポリカーボネイトを加工又は成形した左右一対のヘッド５を設けて、該ヘッド５を金具４の左右両端にネジで固着した構成にしたことで、打球部材の材質を有効に活用してボールを遠距離へ飛ばすことができると共に、近距離にもコントロール良く飛ばすことができることを特徴とするマレットゴルフ用スティック。
【請求項２】
本考案は、シャフト止め金具３に直交するように接続金具４を固定し、その接続金具４の両側にヘッド５を取付けたことを特徴とする請求項１記載のマレットゴルフ用スティック。
【請求項３】
本考案は、ヘッドは図８〜図１１の形状でも可能であることを特徴とする請求項１乃至２のいずれか１項記載のマレットゴルフ用スティック。
【請求項４】
本考案は、ゲートボール用スティック、グランド用ゴルフステイックにも使用できることを特徴とする請求項１乃至３のいずれか１項に記載のマレットゴルフ用スティック。
【考案の詳細な説明】
【技術分野】
【０００１】  本考案は、マレットゴルフ用スティックヘッドに関するものである。
【背景技術】
【０００２】  マレットゴルフは、ゲートボールと類似し、老人から若者まで楽しめるスポーツであって、広場や公園でも容易に出来る。そして従来のマレットゴルフ用スティックは木製の一本の筒体から構成され、その中央にシャフトを固定したＴ字形のもの、又、左右両端に閉止駒を埋込んだ形状のものであり、又、近年では金属などの素材で円柱形に形成したヘッド部と、該ヘッド部の中心付近に、ネジ留め等によって下端において固着するヘッド及びシャフトとシャフト部の上端に形成されたグリップで構成されている。
【特許文献】
【０００３】
【特許文献１】特開２００７−１８１５４８
【特許文献２】特開２００１−４６５７０
【考案の概要】
【考案が解決しようとする課題】
【０００４】  本考案は、従来の木質、又は金属からなるヘッドよりも球あしが鋭く且つ打球感に優れた高性能のチタン製シャフトと接続金属製金具と金属ヘッド又はプラスチック製特にポリカーボネイトを使用した製作が至極容易で、堅牢で長期間の使用に耐えるマレットゴルフ用スティックヘッドを提供することを目的とするものである。
【問題を解決するための手段】
【０００５】  上部に握りを設けたチタン製のシャフトを設け、前記チタン製のシャフトの下端にチタン製シャフトを挿入するシャフト止め金具を設ける、前記シャフト止め金具に直交する接続金具に固定し、その接続金具両端に金属・非金属又はプラスチック、特にポリカーボネイト等を加工又は成形した左右一対のヘッドを設け、該ヘッドを接続金具の左右両端にネジで螺合した構造にしたものである。
【考案の効果】
【０００６】  本考案は以上説明したように、上部に握りを設けたチタンシャフトと、前記シャフトの下端にシャフトを挿入する金具と直交する接続金具と金属・非金属又はプラスチック、特にポリカーボネイトを加工又は成形した左右一対のヘッドをネジで螺合したので、弾発力が強くボールを遠くへ飛ばすことがき、所望の飛距離が得られる効果と競技人口の多いいゲートボールやグランゴルフにも利用できる効果が期待できる。
【図面の簡単な説明】
【０００７】
【図１】本考案の正面図
【図２】本考案の右側面図
【図３】本考案の平面図
【図４】本考案のヘッド部拡大正面図
【図５】本考案のヘッド部拡大右側面図
【図６】本考案のヘッド部拡大平面図
【図７】本考案の一部断面の正面図
【図８】実施例のヘッド部Ａの形状の正面図
【図９】実施例のヘッド部Ｂの形状の正面図
【図１０】実施例のヘッド部Ｃの形状の正面図
【図１１】実施例のヘッド部Ｄの形状の正面図
【考案を実施するための形態】
【０００８】  以下、本発明の実施の形態を図１〜図１１に基づいて説明する。
図においては、図１は本考案のマレットゴルフステイックの構成を示す正面図である。１は握り手（グリップ）であり、チタンシャフト２及び止め金具３と接続金具４の左右両端のジョイント部で螺合されている。図２は本考案の図１で説明した同マレットゴルフステイックの右側面図である。握り手（グリップ）１、チタンシャフト２及び止め金具３と接続金具４とのジョイント部で螺合されている状態である。
図３は本考案の図１で説明したマレットゴルフステイックの平面図である。
図４、図５、図６はヘッド５を拡大した正面図、右側面図、平面図である。
［図７］は本考案の一部を除いた切断平面図である。
図８．図９、図１０、図１１は実施例の各形状の正面図である。
上部に握り１を設けたチタン製のシャフト２を設け、前記チタン製のシャフト２の下端にチタン製シャフトを挿入するシャフト止め金具３を設ける、前記シャフト止め金具３に直交するように接続金具４に螺合し、その接続金具４に金属・非金属又はプラスチック、特にポリカーボネイトを加工又は成形した左右一対のヘッド５を設け、該ヘッド５を接続金具４の両端左右からネジで螺合した構造にしたものである。
【産業上の利用可能性】
【０００９】  本考案は、マレットゴルフ用スティックに使用する以外にも、競技人口の多いいゲートボールやグランゴドフの球技に使用することが可能であり、将来に希望が持てる可能性が大いにある。
【符号の説明】
【００１０】  １  上部握り（グリップ）
２  チタン製シャフト
３  シャフト止め金具
４  接続金具
５  ヘッド
６  ヘッドＡの形状
７  ヘッドＢの形状
８  ヘッドＣの形状
９  ヘッドＤの形状
【図１】
0003189940.tif 000003
【図２】
0003189940.tif 000004
【図３】
0003189940.tif 000005
【図４】
0003189940.tif 000006
【図５】
0003189940.tif 000007
【図６】
0003189940.tif 000008
【図７】
0003189940.tif 000009
【図８】
0003189940.tif 000010
【図９】
0003189940.tif 000011
【図１０】
0003189940.tif 000012
【図１１】
0003189940.tif 000013
【手続補正書】
【提出日】平成26年1月15日(2014.1.15)
【手続補正１】
【補正対象書類名】明細書
【補正対象項目名】００１０
【補正方法】変更
【補正の内容】
【００１０】１  上部握り（グリップ）
２  チタン製シャフト
３  シャフト止め金具
４  接続金具
５  ヘッド
６  ハンマー型Ａの形状
７  角砲弾型Ｂの形状
８  砲弾型Ｃの形状
９  門型Ｄの形状
【手続補正２】
【補正対象書類名】実用新案登録請求の範囲
【補正対象項目名】全文
【補正方法】変更
【補正の内容】
【実用新案登録請求の範囲】
【請求項１】
上部に握り（１）を設けたチタン製シャフト２を設け、前記チタン製  ける、前記シャフト止め金具（３）に直交するように接続金具（４）を固定し、その接続金具（４）に金属、非金属又はプラスチックを加工又は成形した左右一対のヘッド（５）を設けて、該ヘッド（５）を金具（４）の左右両端にネジで固着した構成にしたことで、打球部材の材質を有効に活用してボールを遠距離へ飛ばすことができると共に、近距離にもコントロール良く飛ばすことができることを特徴とするマレットゴルフ用スティック。
【請求項２】
シャフト止め金具（３）に直交するように接続金具（４）を固定し、その接続金具（４）の両側にヘッド（５）を取付けたことを特徴とする請求項１記載のマレットゴルフ用スティック。
【請求項３】
ヘッドは、ハンマー型Ａ、角砲弾型Ｂ、砲弾型Ｃ、門型Ｄの形状でも可能であることを特徴とする請求項１乃至２のいずれか１項記載のマレットゴルフ用スティック。
【請求項４】
ゲートボール用スティック、グランド用ゴルフステイックにも使用できることを特徴とする請求項１乃至３のいずれか１項に記載のマレットゴルフ用スティック。
【手続補正３】
【補正対象書類名】図面
【補正対象項目名】図８
【補正方法】変更
【補正の内容】
【図８】
0003189940.tif 000014
【手続補正４】
【補正対象書類名】図面
【補正対象項目名】図９
【補正方法】変更
【補正の内容】
【図９】
0003189940.tif 000015
【手続補正５】
【補正対象書類名】図面
【補正対象項目名】図１０
【補正方法】変更
【補正の内容】
【図１０】
0003189940.tif 000016
【手続補正６】
【補正対象書類名】図面
【補正対象項目名】図１１
【補正方法】変更
【補正の内容】
【図１１】
0003189940.tif 000017